(57)【要約】【課題】様々なサイズの用紙に対しても、ページ数の認定を行えるようにすること。【解決手段】用紙の各々のページに付されている固有のコードを撮像する撮像部３５と、前記コードが付されている位置に対応して撮像部が設けられており用紙サイズに応じて前記用紙の位置及び角度を規定する紙受部３０とを備え、紙受部３０は、前記用紙の裁置台１０に可動な態様で設け、断面が略Ｌ字形状であり、撮像部３５は裁置台１０との対向面に設け、前記対向面に対する直交面が前記用紙の端面を受けるようにしており、前記コードは、ページ数を示す情報を含んでいる。【選択図】図１
2013090252.tif 000002
【特許請求の範囲】
【請求項１】
用紙の各々のページに付されている固有のコードを撮像する撮像部と、
前記コードが付されている位置に対応して撮像部が設けられており用紙サイズに応じて前記用紙の位置及び角度を規定する紙受部とを備える画像読取装置。
【請求項２】
前記紙受部は、前記用紙の裁置台で可動な態様で設けられていて、断面が略Ｌ字形状であり、
前記撮像部は、前記裁置台との対向面に設けられていて、
前記対向面に対する直交面が前記用紙の端面を受ける、請求項１記載の画像読取装置。
【請求項３】
前記コードは、ページ数を示す情報を含む、請求項１記載の画像読取システム。
【請求項４】
請求項１に記載の画像読取装置と、
前記用紙に文字又は図形を含む記号を入力する入力ペンと、
を備える、画像読取システム。
【発明の詳細な説明】
【技術分野】
【０００１】
本発明は、画像読取装置及びこれを備える画像読取システムに関し、特に、鉛筆、ボールペン、万年筆などの筆記具による文字又図形などの記号、更には、デッサン、スケッチなどの描画の画像データをパーソナルコンピュータ等に送信する、画像読取装置及びこれを備える画像読取システムに関する。
【背景技術】
【０００２】
引用によって本願明細書に取り込まれたものとする特許文献１には、上記画像読取装置に関連するものが開示されている。ペンによって書き込まれる複数の用紙は、クリップ機構によってクリップボードに留められている。用紙の各ページには、固有のバーコードが印刷されている。そして、ユーザが新たなページの書込みを始める度に、そのページに印刷されたバーコードをスキャンする為のバーコードスキャナを含めてもよい旨の開示がされている（００１７段落参照）。つまり、特許文献１に開示されているものは、ユーザによる書き込み先が何ページ目であるかというページ数を認定可能なものといえる。
【０００３】
【特許文献１】特開２００７−２２０１２７号公報
【発明の開示】
【発明が解決しようとする課題】
【０００４】
しかし、特許文献１に開示されているものは、用紙を単にクリップ機構によって留めているに過ぎない。一方で、用紙には、汎用的なものでも、Ｂ５判、Ａ４判などの各種サイズが存在する。そうすると、様々なサイズの用紙に対応できる条件でページ数の認定を行おうとうすると、本体に対するバーコードスキャナの設置位置が重要となる。しかし、この点についての考察は、特許文献１ではなされていない。
【０００５】
また、用紙を単にクリップ機構によって留めるだけでは、クリップボードに対する用紙の向きは不安定となる。これでは、用紙に書き込まれた文字等の画像を読み取り、それをパーソナルコンピュータなどに転送してディスプレイに表示させる場合に、斜めに表示されることがある。このため、特許文献１のものでは、ディスプレイには見にくい状態で画像が表示されることになるか、これを補正するための画像処理手段を設けなければならないという問題があった。
【０００６】
そこで、本発明は、上記不都合を回避する画像読取装置及び画像読取システムを提供することを課題とする。
【課題を解決するための手段】
【０００７】
上記課題を解決するために、本発明の画像読取装置及び画像読取システムは、
用紙の各々のページに付されている固有のコードを撮像する撮像部と、
前記コードが付されている位置に対応して撮像部が設けられており用紙サイズに応じて前記用紙の位置及び角度を規定する紙受部とを備える。
【０００８】
例えば、前記紙受部は、前記用紙の裁置台に可動な態様で設け、断面が略Ｌ字形状であり、前記撮像部は前記裁置台との対向面に設け、前記対向面に対する直交面が前記用紙の端面を受けるようにするとよい。
【０００９】
また、前記コードは、ページ数を示す情報を含めるとよい。
【図面の簡単な説明】
【００１０】
【図１】本発明の実施形態の模式的な画像読取装置１００の構成を示す斜視図である。
【図２】図１に示す画像読取装置１００の裁置台１０に置かれる用紙６０，６５の模式的な斜視図である。
【図３】図１に示す画像読取装置１００を含む画像読取システムの使用態様を示す斜視図である。
【図４】図１に示す画像読取装置１００に用紙６５をセットした状態を示す図である。
【符号の説明】
【００１１】
１０  裁置台
２０  クリップ部
３０  紙受部
４０  レール部
５０  操作部
【発明の実施の形態】
【００１２】
以下、本発明の実施形態について、図面を参照して説明する。
【００１３】
図１は、本発明の実施形態の模式的な画像読取装置１００の構成を示す斜視図である。図１には、以下説明する、裁置台１０と、クリップ部２０と、紙受部３０と、撮像部３５と、レール部４０と、操作部５０とを示している。
【００１４】
裁置台１０は、後述するような複数ページからなる用紙６０，６５（図２）が置かれるものである。裁置台１０は、既知のように、例えば、所要の硬度を有する樹脂製とすればよい。裁置台１０は、一例を挙げると、いわゆるＢ４判のサイズとすることができる。
【００１５】
クリップ部２０は、裁置台１０の例えば上部に取り付けられていて、裁置台１０に置かれた用紙６０，６５を留めるものである。クリップ部２０の取付位置、大きさ等は、不問であり、既知のものと同様とすればよい。
【００１６】
紙受部３０は、裁置台１０に置かれる用紙６０，６５の位置及び向きを決定するものである。ここでは、紙受部３０は、例えば、裁置台１０の下部に位置させており、その断面が略Ｌ字形状で、裁置台１０の左右方向に延びる概形としている。紙受部３０は、例えば、所要の硬度を有する樹脂製とすればよく、その幅は限定的ではないがクリップ部２０と同程度とすればよい。
【００１７】
なお、紙受部３０の位置は、図１のように裁置台１０の下側に限定されず、例えば、裁置台１０の左側としてもよいし、左下角部としてもよい。左下角部とする場合には、例えば、紙受部３０の断面は図１の場合と同様に略Ｌ字形状でよいが、概形については裁置台１０の上下方向及び左右方向にそれぞれ延びるＬ字状として、用紙６０，６５の左下角部を受けられるようなものとするとよい。
【００１８】
撮像部３５は、用紙６０，６５のコード７０（図２）を撮像するものである。撮像部３５は、紙受部３０における裁置台１０との対向面に設けられていて、操作部５０を通じてユーザが入力することを条件に、或いは、後述のようにいわば自動的にコード７０の撮像を行うようにしている。
【００１９】
レール部４０は、紙受部３０の移動を規定するものである。レール部４０を設けているため、図１に示す例では、紙受部３０は、裁置台１０の上下方向に移動可能である。すなわち、レール部４０が延びる方向は、紙受部３０の位置、形状等に応じて決定される。例えば、紙受部３０が裁置台１０の左下角部に設けられている場合には、レール部４０は裁置台１０の左下から右上に延びるものとすればよい。
【００２０】
操作部５０は、主として、入力ペン８０（図３）によって入力された文字等を、図示しないパーソナルコンピュータなどへ転送するためのものである。具体的には、操作部５０は、ユーザが各種指示を入力するための各種ボタン等と、各種ボタン等の押下内容等が表示されるディスプレイとを有する。
【００２１】
なお、画像読取装置１００とパーソナルコンピュータ等は、ＵＳＢ（Universal Serial Bus）ケーブルなどを介して有線接続としてもよいし、ブルートゥースなどの無線接続としてもよい。なお、画像読取装置１００と入力ペン８０とも有線接続としてもよいし、無線接続としてもよい。
【００２２】
また、画像読取装置１００には、図示しないメモリ及びＣＰＵが設けられている。メモリには、操作部５０に係るプログラムが格納されており、また、入力ペン８０を用いた入力情報も格納され得る。ＣＰＵは、メモリ内のプログラムに応じて、紙受部３０に設けられた撮像部３５による撮像したり、入力ペン８０によって入力された文字等を、図示しないパーソナルコンピュータなどへ転送したりといった処理を実行するものである。
【００２３】
図２は、図１に示す画像読取装置１００の裁置台１０に置かれる用紙６０，６５の模式的な斜視図である。用紙６０，６５は、そのサイズが相互に異なる。例えば、用紙６０はいわゆるＡ４判であり、用紙６５はいわゆるＢ５判であるといった具合である。
【００２４】
用紙６０，６５は、既述のように、複数ページからなり、各ページには固有のコード７０が付されている。各コード７０は、紙受部３０に設けられている撮像部３５によって撮像されるものであり、用紙６０，６５のページ数を示す情報を含む。コード７０を付す位置は、紙受部３０の位置に応じて適宜選択すればよいが、通常であれば、用紙６０，６５の端部とすべきである。
【００２５】
また、用紙６０，６５は、レール部４０を形成していることから、裏表紙はボール紙のように、ある程度の硬性を持たせることも一法である。そうすると、入力ペン８０を用いて用紙６０，６５に文字を書いているときなどに、入力ペン８０のペン先がレール部４０の上部を通過するときに、レール部４０による段差で用紙６０，６５が破れることを防止できる。或いは、レール部４０と紙受部３０との隙間を極力なくすことで、レール部４０による段差が発生することを防止してもよい。
【００２６】
図３は、図１に示す画像読取装置１００を含む画像読取システムの使用態様を示す斜視図である。図３（ａ）には、図１に示す画像読取装置１００の裁置台１０に置かれた用紙６０に対してユーザが入力ペン８０で文字等を書いている状態を示し、図３（ｂ）には、図３（ａ）に示す状態から例えば１ページ目を捲った状態を示している。
【００２７】
図３（ａ）に示すように、裁置台１０に用紙６０をセットすると、紙受部３０は、用紙６０に付されているコード７０上に位置することになる。したがって、ユーザが操作部５０のボタンを適宜操作することによって、紙受部３０に設けられた撮像部３５で当該コード７０を撮像すれば、入力ペン８０によって文字等を書くページが何ページであるかを認識することが可能となる。
【００２８】
ページの認識は、画像読取装置１００で行ってもよいし、これが接続されているパーソナルコンピュータで行ってもよい。具体的には、画像読取装置１００又はパーソナルコンピュータ等にコード７０とページ数とを紐付けたデータを保存しておいて、画像読取装置１００又はパーソナルコンピュータ等に紙受部３０の撮像部３５による撮像データを出力し、当該撮像データからコード７０を特定することによって、当該コード７０に対応するページ数を割り出せばよい。
【００２９】
なお、ページの認識をパーソナルコンピュータ等で行う場合には、紙受部３０の撮像部３５による撮像データと入力ペン８０によって入力された文字等とを併せてパーソナルコンピュータに転送すればよい。
【００３０】
その後、ユーザが、用紙６０のページを捲ると、例えば２ページ目が表に登場するので、紙受部３０に設けられた撮像部３５によって当該ページに付されているコード７０を撮像し、それをパーソナルコンピュータ等へ転送すれば、入力ペン８０によって新たに文字等が書かれるページをパーソナルコンピュータ等に認識することが可能となる。
【００３１】
ユーザが、用紙６０のページを捲った場合には、操作部５０を通じて画像読取装置１００に対してその旨を入力してもよい。これを自動化して、ユーザの入力を省略できるようにするためには、紙受部３０に近接センサなどを設けておき、ページを捲る際にページとの距離が変化したことを検知した場合には、紙受部３０の撮像部３５による撮像を行い、コード７０が変わったことをもって、ページ捲りがあったと判別するようにしてもよい。係る場合には、単に用紙６０にユーザの手が引っ掛かる等して、近接センサでページとの距離が変化を検知しても、その前後に撮像しているコード７０の情報が変化していないため、ページ捲りの誤判別を防止することが可能となる。
【００３２】
ここで、紙受部３０の撮像部３５と用紙６０のコード７０との位置関係が正しくないと、用紙６０のコード７０をきちんと読み取ることができず、結果的に、ページ認識ができないことになる。本実施形態の画像読取装置１００は、用紙６０のコード７０の上方に紙受部３０の撮像部３５が位置するようにしてあるので、用紙６０のページを正しく認識することができる。
【００３３】
また、本実施形態の画像読取装置１００によれば、紙受部３０を設けているため、入力ペン８０によって入力された文字等が、パーソナルコンピュータなどに転送され、そのディスプレイに表示された場合であっても、文字等が斜めに表示されることはなくなる。
【００３４】
ここで、入力ペン８０は、この種のシステムに用いられるものであれば、如何なるタイプのものであってもよい。したがって、例えば、ボールペン等の筆記部分と、ペン先付近を撮像する撮像部３５とを備えているものでもよい。このタイプの入力ペン８０は既知であり、アノードペンとも称されている。
【００３５】
係る場合には、用紙６０，６５には、そのページ内での位置情報を特定するために、固有の形状の複数のドットが印刷されていることが通常である。係る場合には、ユーザが入力ペン８０を用いて、用紙６０，６５に文字を記載等すれば、入力ペン８０の撮像部３５によってペン先とその周辺の上記ドットとを一緒に撮像することができるので、撮像情報には、入力ペン８０で用紙６０，６５に記載された情報が含まれることになる。
【００３６】
また、電磁誘導又は静電結合等を利用することで、位置認識をするタイプのペンも知られている。係るペンは、送受信コイル及びコンデンサ等を備えており、画像読取装置１００にマトリクス状にアンテナコイルを配列しておくことで、入力ペン８０のペン先の位置を認識することが可能となる。入力ペン８０についても、所望の画像読取装置１００との組み合わせにより、この種のものを用いることができる。
【００３７】
このように、本実施形態の画像読取装置１００は、入力ペン８０での記載等される文字がパーソナルコンピュータで認識さえできるものであれば、如何なるタイプのものを用いてもよい。
【００３８】
図４は、図１に示す画像読取装置１００に用紙６５をセットした状態を示す図である。用紙６５は、用紙６０に比して細部が小さいので、係る場合には、レール部４０を通じて紙受部３０をクリップ部２０に向けて移動させればよい。
【００３９】
こうすると、紙受部３０によって用紙６５の位置及び向きを規定するもできるし、用紙６５に付されているコード７０を、紙受部３０に設けられている撮像部３５によって撮像することもできる。すなわち、本実施形態の画像読取装置１００によれば、用紙６５のサイズの大小に拘わらず、用紙６５のページの認識が可能となる。
【００４０】
以上述べたように、本実施形態の画像読取システムによれば、様々なサイズの用紙に対しても、その向き及び角度を規定することができるため、ページ数の認定を行うことが可能となる。
【図１】
2013090252.tif 000003
【図２】
2013090252.tif 000004
【図３】
2013090252.tif 000005
【図４】
2013090252.tif 000006